(57)【特許請求の範囲】
【請求項１】
アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信部と、
アンチパスバック設定エリアでのユーザの平均滞在時間が、アンチパスバック設定エリアのエリア属性とユーザ属性との組合せごとに記述される平均滞在時間情報を記憶する平均滞在時間情報記憶部と、
前記非設定エリアユーザのユーザ属性と、前記入場イベント情報に記述されているエリア識別子で識別される前記アンチパスバック非設定エリアのエリア属性とを判定し、判定したユーザ属性とエリア属性との組合せと同じ組合せに対する平均滞在時間を前記平均滞在時間情報から取得する平均滞在時間取得部と、
前記入場イベント情報に記述されている時刻に、前記平均滞在時間取得部により取得された平均滞在時間を加算し、加算後の時刻と、前記入場イベント情報に記述されているユーザ識別子とエリア識別子とを用いて、前記非設定エリアユーザが当該エリア識別子で識別される前記アンチパスバック非設定エリアから前記加算後の時刻に退場した旨が示される退場イベント情報を生成する退場イベント情報生成部とを有する情報処理装置。
【請求項２】
前記平均滞在時間情報記憶部は、
アンチパスバック設定エリアでのユーザの最長滞在時間と最短滞在時間とが除かれて算出された平均滞在時間が、エリア属性とユーザ属性との組合せごとに記述される平均滞在時間情報を記憶する請求項１に記載の情報処理装置。
【請求項３】
アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信部と、
前記非設定エリアユーザと、アンチパスバックが設定されたアンチパスバック設定エリアへの入退場を行う設定エリアユーザとの間の、エリア滞在時間に関する相関係数を記憶する相関係数記憶部と、
前記非設定エリアユーザとの相関係数が閾値以上である設定エリアユーザの前記アンチパスバック設定エリアでの平均滞在時間を取得する平均滞在時間取得部と、
前記入場イベント情報に記述されている時刻に、前記平均滞在時間取得部により取得された平均滞在時間を加算し、加算後の時刻と、前記入場イベント情報に記述されているユーザ識別子とエリア識別子とを用いて、前記非設定エリアユーザが前記アンチパスバック非設定エリアから前記加算後の時刻に退場した旨が示される退場イベント情報を生成する退場イベント情報生成部とを有する情報処理装置。
【請求項４】
前記情報処理装置は、更に、
入場イベント情報に記述されている時刻と、当該入場イベント情報と共通するユーザ識別子とエリア識別子とが記述されている退場イベント情報に記述されている時刻との差を、エリア滞在時間として算出する滞在時間算出部を有する請求項１〜３のいずれか１項に記載の情報処理装置。
【請求項５】
前記情報処理装置は、更に、
前記滞在時間算出部により算出されたエリア滞在時間を、ユーザ識別子及びエリア識別子の組合せごとにソートし、ソート結果を表示する滞在時間表示部を有する請求項４に記載の情報処理装置。
【請求項６】
コンピュータが、アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信ステップと、
前記コンピュータが、アンチパスバック設定エリアでのユーザの平均滞在時間が、アンチパスバック設定エリアのエリア属性とユーザ属性との組合せごとに記述される平均滞在時間情報を平均滞在時間情報記憶領域に格納する平均滞在時間情報格納ステップと、
前記コンピュータが、前記非設定エリアユーザのユーザ属性と、前記入場イベント情報に記述されているエリア識別子で識別される前記アンチパスバック非設定エリアのエリア属性とを判定し、判定したユーザ属性とエリア属性との組合せと同じ組合せに対する平均滞在時間を前記平均滞在時間情報から取得する平均滞在時間取得ステップと、
前記入場イベント情報に記述されている時刻に、前記平均滞在時間取得ステップにより取得された平均滞在時間を加算し、加算後の時刻と、前記入場イベント情報に記述されているユーザ識別子とエリア識別子とを用いて、前記非設定エリアユーザが当該エリア識別子で識別される前記アンチパスバック非設定エリアから前記加算後の時刻に退場した旨が示される退場イベント情報を生成する退場イベント情報生成ステップとを有する情報処理方法。
【請求項７】
コンピュータが、アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信ステップと、
前記コンピュータが、前記非設定エリアユーザと、アンチパスバックが設定されたアンチパスバック設定エリアへの入退場を行う設定エリアユーザとの間の、エリア滞在時間に関する相関係数を相関係数記憶領域に格納する相関係数格納ステップと、
前記コンピュータが、前記非設定エリアユーザとの相関係数が閾値以上である設定エリアユーザの前記アンチパスバック設定エリアでの平均滞在時間を取得する平均滞在時間取得ステップと、
前記コンピュータが、前記入場イベント情報に記述されている時刻に、前記平均滞在時間取得ステップにより取得された平均滞在時間を加算し、加算後の時刻と、前記入場イベント情報に記述されているユーザ識別子とエリア識別子とを用いて、前記非設定エリアユーザが前記アンチパスバック非設定エリアから前記加算後の時刻に退場した旨が示される退場イベント情報を生成する退場イベント情報生成ステップとを有する情報処理方法。
【請求項８】
アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信ステップと、
アンチパスバック設定エリアでのユーザの平均滞在時間が、アンチパスバック設定エリアのエリア属性とユーザ属性との組合せごとに記述される平均滞在時間情報を平均滞在時間情報記憶領域に格納する平均滞在時間情報格納ステップと、
前記非設定エリアユーザのユーザ属性と、前記入場イベント情報に記述されているエリア識別子で識別される前記アンチパスバック非設定エリアのエリア属性とを判定し、判定したユーザ属性とエリア属性との組合せと同じ組合せに対する平均滞在時間を前記平均滞在時間情報から取得する平均滞在時間取得ステップと、
前記入場イベント情報に記述されている時刻に、前記平均滞在時間取得ステップにより取得された平均滞在時間を加算し、加算後の時刻と、前記入場イベント情報に記述されているユーザ識別子とエリア識別子とを用いて、前記非設定エリアユーザが当該エリア識別子で識別される前記アンチパスバック非設定エリアから前記加算後の時刻に退場した旨が示される退場イベント情報を生成する退場イベント情報生成ステップとをコンピュータに実行させる情報処理プログラム。
【請求項９】
アンチパスバックが設定されていないアンチパスバック非設定エリアに入場した非設定エリアユーザのユーザ識別子と、前記アンチパスバック非設定エリアのエリア識別子と、前記非設定エリアユーザが前記アンチパスバック非設定エリアに入場した時刻とが記述される入場イベント情報を受信する入場イベント情報受信ステップと、
前記非設定エリアユーザと、アンチパスバックが設定されたアンチパスバック設定エリアへの入退場を行う設定エリアユーザとの間の、エリア滞在時間に関する相関係数を相関係数記憶領域に格納する相関係数格納ステップと、
前記非設定エリアユーザとの相関係数が閾値以上である設定エリアユーザの前記アンチパスバック設定エリアでの平均滞在時間を取得する平均滞在時間取得ステップと、
前記入場イベント情報に記述されている時刻に、前記平均滞在時間取得ステップにより取得された平均滞在時間を加算し、加算後の時刻と、前記入場イベント情報に記述されているユーザ識別子とエリア識別子とを用いて、前記非設定エリアユーザが前記アンチパスバック非設定エリアから前記加算後の時刻に退場した旨が示される退場イベント情報を生成する退場イベント情報生成ステップとをコンピュータに実行させる情報処理プログラム。
【発明の詳細な説明】
【技術分野】
【０００１】
本発明は、入退室を管理する技術に関する。
【背景技術】
【０００２】
入退室管理サービスでは、居室や、実験室などエリアごとに、電子錠とカードリーダなどを用いて、組織や、個人毎に入退室の可否を制御する。
入退室管理サービスは、入退が行われたとき、イベント情報を受け取る。
近年、人事課などの要望あり、入退室管理サービスの付加価値として、イベント情報を用いて、エリアごと、個人ごとに在室時間管理を始めている。
在室時間を把握するにあたって、正確に退室時刻を管理するには、従来、入室時に使用するカードリーダ以外に、退室時に使用するカードリーダを使用して、入室と退室を独立に管理するアンチパスバック（以下では、ＡＰＢと記載する）を使用していた。
【先行技術文献】
【特許文献】
【０００３】
【特許文献１】特許第５４９２５１３号
【発明の概要】
【発明が解決しようとする課題】
【０００４】
特許文献１には、ＡＰＢを使用した在室時間管理システムが記載されている。
この方式は、１つの扉につき、カードリーダ２組が必要であり、システム構成が複雑である。
また、カードリーダ２組を設置するための工事が必要であり、高価である。
【０００５】
本発明は、このような事情に鑑みたものであり、ＡＰＢを使用せずにエリア滞在時間の管理を行うことを主な目的とする。
【課題を解決するための手段】
【０００６】
本発明に係る情報処理装置は、
ユーザのユーザ識別子と、前記ユーザが入場したエリアのエリア識別子と、前記ユーザが前記エリアに入場した時刻とが記述される入場イベント情報を受信する入場イベント情報受信部と、
前記入場イベント情報受信部により入場イベント情報が受信される度に、受信された入場イベント情報を記憶するイベント情報記憶部と、
前記入場イベント情報受信部により新たな入場イベント情報が受信された場合に、前記イベント情報記憶部から、前記新たな入場イベント情報に記述されているユーザ識別子と共通するユーザ識別子が記述されている入場イベント情報のうち、最後に前記イベント情報記憶部に追加された入場イベント情報を抽出し、抽出した入場イベント情報に記述されているユーザ識別子とエリア識別子と前記新たな入場イベント情報に記述されている時刻とを用いて、当該ユーザ識別子で識別されるユーザが当該エリア識別子で識別されるエリアから当該時刻に退場した旨が示される退場イベント情報を生成する退場イベント情報生成部とを有する。
【発明の効果】
【０００７】
本発明によれば、入場時刻から退場時刻を導出することができ、ＡＰＢを使用せずに、エリア滞在時間の管理を行うことができる。
【図面の簡単な説明】
【０００８】
【図１】実施の形態１に係るシステム構成例を示す図。
【図２】実施の形態１に係る在室時間管理システムの機能構成例を示す図。
【図３】実施の形態１に係る通行履歴管理テーブルの例を示す図。
【図４】実施の形態１に係るエリア・カードリーダ管理テーブルの例を示す図。
【図５】実施の形態１に係る職務管理テーブルの例を示す図。
【図６】実施の形態１に係る在室時間管理テーブルの例を示す図。
【図７】実施の形態１に係るＡＰＢ設定エリア平均在室時間テーブルの例を示す図。
【図８】実施の形態１に係る相関係数テーブルの例を示す図。
【図９】実施の形態１に係る入室イベント連携退室時刻補完部の動作例を示すフローチャート図。
【図１０】実施の形態１に係るエリア・職務分類毎平均時刻算出連携退室時刻補完部の動作例を示すフローチャート図。
【図１１】実施の形態１に係る在室時間相関算出部の動作例を示すフローチャート図。
【図１２】実施の形態１に係る部分平均算出部の動作例を示すフローチャート図。
【図１３】実施の形態１に係る在室時間表示部の動作例を示すフローチャート図。
【図１４】実施の形態１に係るカードリーダから送出されるイベント情報の例を示す図。
【図１５】実施の形態１に係るイベントＩＤ管理配列の例を示す図。
【図１６】実施の形態１に係る在室時間管理システムのハードウェア構成例を示す図。
【発明を実施するための形態】
【０００９】
実施の形態１．
本実施の形態では、在室時間管理システムを説明する。
本実施の形態に係る在室時間管理システムは、イベントを累積した通行履歴を用いて、在室時間を管理する。
そして、在室時間管理システムは、イベントの内容が入室であった場合に、当該イベントに記録されるカードＩＤ情報と同じカードＩＤを持つ入室時刻のイベントを検索し、当該カードＩＤと同じ退室時刻を持つイベントを生成し、通行履歴に記録する。
また、在室時間管理システムは、エリアの分類とカードＩＤ所有者の職務を管理し、ＡＰＢを有するエリアの分類とカードＩＤ所有者の職務から平均在室時間を求め、通行履歴を検索し、入場時刻と平均在室時間から退室時刻を算出し、通行履歴に記録する。
更に、在室時間管理システムは、エリアの分類とカードＩＤ所有者の個々の在室時間を管理し、カードＩＤ所有者間の日々の在室時間の変動を比較し、相関係数を算出し、あるカードＩＤ所有者の通行履歴上の退室時刻を算出する際に、最大の相関係数を持つカードＩＤ所有者の在室時間から、当該退室時刻を求める。
また、在室時間管理システムは、平均在室時間を求める際に、最小の在室時間、最大の在室時間を除いて平均在室時間を求める。
【００１０】
なお、以下では、企業のビルの部屋についての入退室管理を例にして説明を行うため、部屋に入場することを「入室」といい、部屋から退場することを「退室」という。
また、部屋に滞在することを「在室」という。
しかし、本実施の形態に係る在室時間管理システムは、部屋に限定されないエリアへの入退場に適用可能である。
このため、「入室」は「入場」の一例であり、「退室」は「退場」の一例であり、「在室」は「滞在」の一例である。
同様に、「入室イベント」、「退室イベント」、「在室時間」等は、「入場イベント」、「退場イベント」、「滞在時間」等の一例である。
【００１１】
＊＊＊構成の説明＊＊＊
図１は、本実施の形態に係るシステム構成例を示す。
在室時間管理システム００は、ビル１及びビル２の入退室管理を行う。
ビル１は、ＡＰＢを非使用である。
つまり、ビル１には入室側にのみカードリーダが設けられている。
ビル２は、ＡＰＢを使用している。
つまり、ビル２には入室側と退室側の両方にカードリーダが設けられている。
在室時間管理システム００は、情報処理装置の例に相当する。
【００１２】
図２は、在室時間管理システム００の機能構成例を示す。
【００１３】
入室イベント連携退室時刻補完部０１は、カードリーダから入室イベント情報を受信し、入室イベントに基づいて退室時刻を補完する。
入室イベント連携退室時刻補完部０１の動作の詳細は後述する。
なお、入室イベント連携退室時刻補完部０１は、入場イベント情報受信部及び退場イベント情報生成部の例に相当する。
【００１４】
入室イベント情報及び退室イベント情報を総称してイベント情報という。
図１４は、イベント情報の例を示す。
図１４において、入退室分類は、イベントの種類を表し、入室は入室イベントを示し、退室は退室イベントを示す。
つまり、入退室分類に入室が記述されたイベント情報が入室イベント情報であり、入退室分類に退室が記述されたイベント情報が退室イベント情報である。
時刻は、入室イベント又は退室イベントが発生した時刻（ユーザが入室又は退室した時刻）である。
ビル名は、入室イベント又は退室イベントが発生したビル（ユーザが入室又は退室したビル）の名称（識別子）である。
エリア名は、入室イベント又は退室イベントが発生したエリア（ユーザが入室又は退室した部屋）の名称（識別子）である。
個人名は、入室イベント又は退室イベントを発生させたユーザ（入室又は退室を行ったユーザ）の名称（識別子）である。
なお、入室イベント情報は、入場イベント情報の例である。
【００１５】
エリア・職務分類毎平均時刻算出連携退室時刻補完部０２は、エリアと職務の分類ごとに平均在室時間を算出し、退室時刻を補完する。
エリア・職務分類毎平均時刻算出連携退室時刻補完部０２の詳細は後述する。
【００１６】
在室時間相関算出部０３は、個人毎の在室時間を算出する。
在室時間相関算出部０３の動作の詳細は後述する。
なお、在室時間相関算出部０３は、相関係数算出部、平均滞在時間取得部、退場イベント情報生成部、滞在時間算出部の例に相当する。
【００１７】
部分平均算出部０４は、エリア・職務分類毎平均時間を算出する際に、最小および最大の在室時間を除いて平均時間を算出する。
部分平均算出部０４の動作の詳細は後述する。
なお、部分平均算出部０４は、平均滞在時間取得部、退場イベント情報生成部、滞在時間算出部の例に相当する。
【００１８】
在室時間表示部０５は、在室時間管理テーブルをエリア毎、個人毎にソートして表示する。
在室時間表示部０５の動作の詳細は後述する。
在室時間表示部０５は、滞在時間表示部の例に相当する。
【００１９】
イベントＩＤ管理配列１１は、イベントを識別する番号であるイベントＩＤを管理するカウンタである。
イベントＩＤ管理配列１１には、現在のイベントＩＤが示される。
図１５は、イベントＩＤ管理配列１１の例を示す。
図１５では、ビル１とビル２で個別にイベントＩＤを管理している。
【００２０】
ＤＢ０６は、通行履歴管理テーブル１０、エリア・カードリーダ管理テーブル１２、職務管理テーブル１３、在室時間管理テーブル１４、ＡＰＢ設定エリア平均在室時間テーブル１５、相関係数テーブル１６を記憶する情報記憶領域である。
ＤＢ０６は、イベント情報記憶部及び平均滞在時間情報記憶部の例に相当する。
【００２１】
通行履歴管理テーブル１０は、ビル１及びビル２に備えられる入室イベント情報あるいは退室イベント情報の内容とイベントＩＤとを記録する。
図３は、通行履歴管理テーブル１０の例を示す。
図３において、ビル名、時刻、エリア名、個人名、入退室分類は、図１４のイベント情報に記述されている内容である。
イベントＩＤは、図１５のイベントＩＤ管理配列１１で管理されているイベントＩＤをインクリメントして得られる値である。
入退室分類に「入室」が記述されているレコードを入室レコードといい、入退室分類に「退室」が記述されているレコードを退室レコードという。
【００２２】
エリア・カードリーダ管理テーブル１２は、ビル毎にエリアを設定するとともに、エリアの分類と、エリアで使用されているカードリーダを定義する。
図４は、エリア・カードリーダ管理テーブル１２の例を示す。
図４に示すように、ビル１には、エリアＸ、Ｙ、Ｚが存在し、エリアＸは居室（オフィス）であり、エリアＹは実験室であり、エリアＺはビル敷地である。
つまり、エリアＺはビル１の敷地全体に相当し、エリアＸ、Ｙは、それぞれビル１の内部の部屋である。
また、エリアＸには入室カードリーダＸ１が設置されており、エリアＹには入室カードリーダＹ１が設置されており、エリアＺには入室カードリーダＺ１が設置されている。
ユーザは、ビル１の敷地に入るために入室カードリーダＺ１でカード認証を受ける。
そして、エリアＸに入るために入室カードリーダＸ１でカード認証を受け、エリアＹに入るために入室カードリーダＹ１でカード認証を受ける。
ビル２についても同様である。
但し、ビル２はＡＰＢを使用しているため、退室カードリーダＸＸ２、ＹＹ２、ＺＺ２と備えている。
【００２３】
職務管理テーブル１３は、ユーザ個人毎に職務を管理する。
図５は、職務管理テーブル１３の例を示す。
図５に示すように、職務管理テーブル１３には、ユーザ毎に、利用するビルの名称と、ユーザの職務とが示される。
【００２４】
在室時間管理テーブル１４は、個人の日毎の在室時間を履歴として管理する。
図６は、在室時間管理テーブル１４の例を示す。
図６に示すように、在室時間管理テーブル１４には、ユーザ個人及び日付毎に、ユーザが滞在したエリア（部屋）と、在室時間とが示される。
【００２５】
ＡＰＢ設定エリア平均在室時間テーブル１５は、ＡＰＢが設定されているＡＰＢ設定エリアでの平均在室時間が示される。
図７は、ＡＰＢ設定エリア平均在室時間テーブル１５の例を示す。
図７に示すように、ＡＰＢ設定エリア平均在室時間テーブル１５には、エリア分類と職務の組合せごとに、平均在室時間が示される。
ＡＰＢ設定エリア平均在室時間テーブル１５は、平均滞在時間情報の例に相当する。
【００２６】
相関係数テーブル１６は、個人間の日毎の在室時間の相関を管理する。
図８は、相関係数テーブル１６の例を示す。
図８に示すように、相関係数テーブル１６には、ＡＰＢ非設定エリアを利用する個人とＡＰＢ設定エリアを利用する個人との間の相関が示される。
ＡＰＢ非設定エリアはＡＰＢが設定されていないエリアであり、本実施の形態ではビル１である。
ＡＰＢ設定エリアはＡＰＢが設定されているエリアであり、本実施の形態ではビル２である。
【００２７】
＊＊＊動作の説明＊＊＊
まず、在室時間管理システム００の動作を概説し、次に、入室イベント連携退室時刻補完部０１、エリア・職務分類毎平均時刻算出連携退室時刻補完部０２、在室時間相関算出部０３、部分平均算出部０４、在室時間表示部０５の動作の詳細を説明する。
なお、以下に示す手順は、本願の情報処理方法及び情報処理プログラムの例に相当する。
【００２８】
在室時間管理システム００は、ビル１に備えられたカードリーダからイベント情報１０１を受け取ると、入室イベント連携退室時刻補完部０１において、当該イベント情報１０１の内容とイベントＩＤが含まれるレコードを生成し、通行履歴管理テーブル１０に追加する。
在室時間管理システム００は、オペレータにより、エリア・職務分類毎平均時刻算出連携退室時刻補完部０２を起動された場合、在室時間相関算出部０３を呼び出す。
在室時間相関算出部０３において、個人毎の日々の在室時間の相関を算出した結果、強い相関のある関係が求められなかった場合、部分平均算出部０４を呼び出す。
部分平均算出部０４は、在室時間管理テーブル１４を参照する。
この際、エリア毎、職務毎に、最小の在室時間のデータと最大の在室時間のデータを除き、算術平均を求めることにより、ＡＰＢ設定エリア平均在室時間テーブル１５を作成する。
在室時間管理システム００は、通行履歴管理テーブル１０を参照し、エリア毎、個人毎に、対応する退室レコードのない入室レコードを抽出し、ＡＰＢ設定エリア平均在室時間テーブル１５を参照し、入室時刻＋平均在室時間から退室時刻を算出し、退室レコードを通行履歴管理テーブル１０に記録する。
部分平均算出部０４は、エリア毎、個人毎に（退室時刻）−（入室時刻）により在室時間を算出し、在室時間管理テーブル１４に記録する。
在室時間相関算出部０３は、在室時間管理テーブル１４を参照し、ＡＰＢ非設定エリアを利用するエリアの個人毎に、ＡＰＢ設定エリアを利用する個人の在室時間との相関係数を求め、相関係数テーブル１６を作成する。
在室時間相関算出部０３は、通行履歴管理テーブル１０を参照し、エリア毎、個人毎に、対応する退室レコードのない入室レコードを抽出する。
在室時間相関算出部０３は、相関係数テーブル１６を参照し、ＡＰＢ非設定エリアを利用する個人と、ＡＰＢ設定エリアを利用する個人の内で、最も相関の強い個人を抽出し、そのエリア毎の平均在室時間から、ＡＰＢ非設定エリアを利用する個人の退室時刻を算出し、在室時間管理テーブル１４に記録する。
在室時間管理システム００は、オペレータにより、在室時間表示部０５を起動することができる。
在室時間表示部０５は、在室時間管理テーブル１４を参照し、オペレータにエリア毎、個人毎の在室時間を示す。
【００２９】
入室イベント連携退室時刻補完部０１の動作例
入室イベント連携退室時刻補完部０１は、イベント情報１０１を受信する。
ビル１には、入室カードリーダのみが配置されているので、入室イベント連携退室時刻補完部０１は、入室イベント情報のみを受信する（入場イベント情報受信ステップ）。
ビル２には、入室カードリーダと退室カードリーダが配置されているので、入室イベント連携退室時刻補完部０１は、入室イベント情報と退室イベント情報を受信する。
入室イベント連携退室時刻補完部０１は、ビル１のカードリーダから入室イベント情報を受信した場合に、ＤＢ０６の通行履歴管理テーブル１０から、受信した入室イベント情報に記述されている個人名と共通する個人名が記述されている入室レコードのうち、最後に通行履歴管理テーブル１０に追加された入室レコードを抽出する（退場イベント情報生成ステップ）。
また、入室イベント連携退室時刻補完部０１は、抽出した入室レコードに記述されている個人名とエリア名と受信した入室イベント情報に記述されている時刻とを用いて、当該個人名で識別されるユーザが当該エリア名で識別されるエリアから当該時刻に退場した旨が示される退室レコード（退室イベント情報）を生成する（退場イベント情報生成ステップ）。
また、入室イベント連携退室時刻補完部０１は、受信したイベント情報１０１の内容とイベントＩＤが含まれる入室レコードを生成し、退室レコードとともに通行履歴管理テーブル１０に追加する（イベント情報格納ステップ）。
【００３０】
図９は、入室イベント連携退室時刻補完部０１の動作例を示すフローチャート図である。
なお、入室イベント連携退室時刻補完部０１はビル２から退室イベント情報を受信し、退室イベント情報を通行履歴管理テーブル１０に登録する動作も行うが、図９では、ビル１から入室イベント情報を受信した場合の動作に絞ったフローが記述されている。
【００３１】
図９において、入室イベント連携退室時刻補完部０１は、ビル１に備えられたカードリーダからイベント情報１０１を取得した場合、当該イベント情報１０１を保持する（Ｓ００１）。
ここでは、図１４の内容が記述されるイベント情報１０１を取得したとする。
【００３２】
次に、入室イベント連携退室時刻補完部０１は、イベント情報１０１の入退室分類を参照し、入室あるいは退室イベントを判定する（Ｓ００２）。
この場合は、「入室」であるため、入室イベント連携退室時刻補完部０１は、イベント情報１０１の個人名を参照し、「Ａ」を取得する。
なお、「退室」である場合は、入室イベント連携退室時刻補完部０１は、退室イベント情報を通行履歴管理テーブル１０に登録する。
なお、前述のように、図９では、入退室分類が「退室」の場合の処理は図示を省略している。
【００３３】
次に、入室イベント連携退室時刻補完部０１は、通行履歴管理テーブル１０を検索し、個人名の欄に「Ａ」が記述されているレコードの内、最後に通行履歴管理テーブル１０に追加されたレコード（イベントＩＤ：１００００２のレコード）を取得する（Ｓ００３）。
【００３４】
当該レコードの入退室分類を参照し、「入室」あるか「退室」であるかを判定し、「入室」である場合は、エリア名で特定されるエリアがビル敷地以外であるかを判定する（Ｓ００４）。
【００３５】
イベントＩＤ：１００００２のレコードは、入退室分類が「入室」であり、また、エリア名が「Ｘ」であるため、ビル敷地以外である。
このため、入室イベント連携退室時刻補完部０１は、退室レコードを補完して、通行履歴管理テーブル１０に記録する（Ｓ００５）。
具体的には、入室イベント連携退室時刻補完部０１は、イベントＩＤ：１００００２のレコードをコピーし、コピーしたイベントＩＤ：１００００２のレコード内の時刻の値を新たに受信したイベント情報１０１の時刻の値に変更する。
また、コピーしたイベントＩＤ：１００００２のレコード内の入退室分類を退室に変更する。
更に、入室イベント連携退室時刻補完部０１は、イベントＩＤ管理配列１１からイベントＩＤ：１０００２を取得し、インクリメントし、イベントＩＤ：１００００３を得て、イベントＩＤ管理配列１１にセットする。
また、コピーしたイベント：ＩＤ１００００２のイベントＩＤをイベントＩＤ：１０００３に置換する。
この結果、「ビル１、１００００３、２０１４／１０／１３  １３：００、Ｘ、Ａ、退室」という退室イベントを示す退室レコードが生成される。
入室イベント連携退室時刻補完部０１は、この退室レコードを通行履歴管理テーブル１０に追加する。
【００３６】
更に、入室イベント連携退室時刻補完部０１は、保持していたイベント情報１０１（新たなイベント情報１０１）に対応する入室レコードを、通行履歴管理テーブル１０に追加する（Ｓ００６）。
具体的には、入室イベント連携退室時刻補完部０１は、Ｓ００１で保持したイベント情報１０１に対して、イベントＩＤ管理配列１１からイベントＩＤ：１０００３を取得し、インクリメントし、イベントＩＤ：１０００４を得て、イベントＩＤ管理配列１１にセットする。
また、入室イベント連携退室時刻補完部０１は、イベント情報１０１とイベントＩＤ：１０００４とを用いて、新たな入室レコードを生成する。
ここで生成される入室レコードには、「ビル１、１００００４、２０１４／１０／１３  １３：００、Ｙ、Ａ、入室」が記述される。
そして、入室イベント連携退室時刻補完部０１は、この入室レコードを通行履歴管理テーブル１０に追加する。
【００３７】
エリア・職務分類毎平均時刻算出連携退室時刻補完部０２の動作
図１０は、エリア・職務分類毎平均時刻算出連携退室時刻補完部０２の動作例を示すフローチャート図である。
図１０のフローは、例えば、就業日ごとに、就業時間後に行われる。
図１０において、エリア・職務分類毎平均時刻算出連携退室時刻補完部０２は、在室時間相関算出部０３を呼び出す（Ｓ１０１）。
呼び出した結果、正常終了であるかを判定する（Ｓ１０２）。
呼び出した結果、異常終了である場合は、エリア・職務分類毎平均時刻算出連携退室時刻補完部０２は、部分平均算出部０４を呼び出す（Ｓ１０３）。
なお、正常終了とは、入室イベント情報に記述されている個人（ＡＰＢ設定エリアを利用する個人）とＡＰＢ設定エリアを利用する個人との間の相関係数が閾値よりも大きい場合である。
一方、異常終了とは、入室イベント情報に記述されている個人（ＡＰＢ設定エリアを利用する個人）とＡＰＢ設定エリアを利用する個人との間の相関係数が閾値よりも大きくない場合である。
【００３８】
在室時間相関算出部０３の動作
在室時間相関算出部０３は、ＡＰＢ非設定エリアであるビル１及びビル１内の部屋への入退室を行うユーザ（非設定エリアユーザともいう）と、ＡＰＢ設定エリアであるビル２及びビル２内の部屋への入退室を行うユーザ（設定エリアユーザともいう）との間の、在室時間に関する相関係数を算出する。
また、在室時間相関算出部０３は、通行履歴管理テーブル１０から、個人名及びエリア名が共通する退室レコードが生成されていない入室レコードを抽出する。
そして、抽出した入室レコードに記述されている個人名で識別される非設定エリアユーザとの相関係数が閾値以上である設定エリアユーザのＡＰＢ設定エリアでの平均在室時間（平均滞在時間）を取得する。
また、在室時間相関算出部０３は、抽出した入室レコードに記述されている時刻に、取得した平均在室時間を加算する。
更に、在室時間相関算出部０３は、加算後の時刻と、抽出した入室レコードに記述されている個人名とエリア名とを用いて、当該個人名で識別される非設定エリアユーザが当該エリア名で識別されるＡＰＢ非設定エリアから加算後の時刻に退室した旨が示される退室レコード（退場イベント情報）を生成する。
そして、在室時間相関算出部０３は、生成した退室レコードを通行履歴管理テーブル１０に追加する。
【００３９】
図１１は、在室時間相関算出部０３の動作例を示すフローチャート図である。
【００４０】
図１１において、在室時間相関算出部０３は、職務管理テーブル１３とエリア・カードリーダ管理テーブル１２を結合し、個人がＡＰＢ非設定エリアを利用しているかどうかを判定する（Ｓ２０１）。
なお、ＡＰＢ非設定エリアかどうかは、エリア・カードリーダ管理テーブル１２上のカードリーダ列において、退室カードリーダが登録されているかどうかにより判定する。
【００４１】
次に、在室時間相関算出部０３は、ＡＰＢ非設定エリアを利用する個人（Ａ、Ｂ）と、ＡＰＢ設定エリアを利用する個人（Ｃ、Ｄ、Ｅ、Ｆ、Ｇ）について、在室時間管理テーブル１４を参照し、日毎のエリア分類＝ビル敷地の在室時間の推移に関して相関係数を計算し、相関係数テーブル１６を作成する（Ｓ２０２）。
相関係数の計算方法は問わない。
【００４２】
次に、在室時間相関算出部０３は、通行履歴管理テーブル１０を参照し、エリア毎、個人毎に退室レコードのない入室レコードを抽出する（Ｓ２０３）。
図３の例では、イベントＩＤ：１０００１の入室レコードを抽出する。
【００４３】
次に、在室時間相関算出部０３は、Ｓ２０３で抽出した入室レコードから個人名を抽出し、相関係数テーブル１６を参照し、抽出された個人名と最も相関が強く、ＡＰＢ設定エリアを利用する個人を抽出する（Ｓ２０４）。
つまり、在室時間相関算出部０３は、イベントＩＤ：１０００１の入室レコードの個人名を参照し、「Ａ」を抽出する。
また、相関係数テーブル１６（図８）を参照し、「Ａ」との相関が強く、ＡＰＢ設定エリアを利用する個人「Ｃ」を抽出する。
【００４４】
次に、在室時間相関算出部０３は、相関係数が強い相関を示すかどうかを判定する（Ｓ２０５）。
つまり、個人「Ａ」と個人「Ｃ」との間の相関係数０．５が閾値（０．７）よりも大きいか否かを判定する。
相関係数が閾値よりも大きい場合（強い相関を示す場合）は、Ｓ２０６の処理が行われる。
一方、相関係数が閾値よりも大きくない場合は、異常終了となる。
ここでは、強い相関を示さないため、異常終了となり、在室時間相関算出部０３の処理は終了する。
【００４５】
強い相関を示す場合には、Ｓ２０４で抽出した個人の平均在室時間を求め、通行履歴管理テーブル１０上で、（入室時刻）＋（平均在室時間）から退室時刻を算出し、通行履歴管理テーブル１０に加える（Ｓ２０６）。
つまり、在室時間管理テーブル１４を参照し、個人「Ｃ」及びエリア「ＺＺＺ」の組合せについて、最小の在室時間のデータと最大の在室時間のデータを除き、算術平均を求めて、平均在室時間とする。
そして、算出した平均在室時間を、図１のイベントＩＤ：１０００１の入室レコードに記述される時刻に加算して退室時刻を求める。
そして、算出した退室時刻を用いて、図１のイベントＩＤ：１０００１の入室レコードに対応する退室レコードを生成し、生成した退室レコードを通行履歴管理テーブル１０に追加する。
【００４６】
次に、在室時間相関算出部０３は、通行履歴管理テーブル１０から、エリア毎、個人毎に（退室時刻）−（入室時刻）により在室時間を算出し、在室時間管理テーブル１４に記録（Ｓ２０７）し、正常終了する。
つまり、在室時間相関算出部０３は、入室レコードに記述されている時刻と、当該入室レコードと共通する個人名とエリア名とが記述されている退室レコードに記述されている時刻との差を、在室時間として算出する。
そして、在室時間管理テーブル１４内の対応するレコードに在室時間を追加する。
具体的には、入室レコードの時刻の日付と同じ日付に対応し、入室レコードに記述されている個人名及びエリア名に対応するレコードに在室時間を追加する。
【００４７】
部分平均算出部０４の動作
部分平均算出部０４は、在室時間管理テーブル１４を参照し、ＡＰＢ設定エリア平均在室時間テーブル１５を生成する。
ＡＰＢ設定エリア平均在室時間テーブル１５には、図７に示すように、ＡＰＢ設定エリアでのユーザの平均在室時間が、ＡＰＢ設定エリアのエリア属性であるエリア分類（居室、実験室、ビル敷地）とユーザ属性である職務（研究職、事務職）との組合せごとに記述される。
【００４８】
部分平均算出部０４は、通行履歴管理テーブル１０から、個人名及びエリア名が共通する退室レコードが生成されていない入室レコードを抽出する。
そして、抽出した入室レコードに記述されている個人名で識別される非設定エリアユーザのユーザ属性と、抽出した入室レコードに記述されているエリア名で識別されるＡＰＢ非設定エリアのエリア属性とを判定する。
更に、判定したユーザ属性とエリア属性との組合せと同じ組合せに対する平均在室時間をＡＰＢ設定エリア平均在室時間テーブル１５から取得する。
【００４９】
部分平均算出部０４は、通行履歴管理テーブル１０から抽出した入室レコードに記述されている時刻に、ＡＰＢ設定エリア平均在室時間テーブル１５から抽出した平均在室時間を加算する。
そして、加算後の時刻と、抽出した入室レコードに記述されている個人名とエリア名とを用いて、退室レコードを生成する。
この退室レコードには、非設定エリアユーザがＡＰＢ非設定エリアから、加算後の時刻に退場した旨が示される。
そして、部分平均算出部０４は、生成した退室レコードを通行履歴管理テーブル１０に追加する。
【００５０】
図１２は、部分平均算出部０４の動作例を示すフローチャート図である。
【００５１】
図１２において、部分平均算出部０４は、在室時間管理テーブル１４を参照し、エリア毎、職務毎に、最小の在室時間（最短滞在時間）のデータと最大の在室時間（最長滞在時間）のデータを除き、算術平均を求め、ＡＰＢ設定エリア平均在室時間テーブル１５を作成する（Ｓ３０１）。
つまり、部分平均算出部０４は、在室時間管理テーブル１４に示されている個人ごとに、職務管理テーブル１３（図５）に基づき職務を判断し、また、在室時間管理テーブル１４に示されているエリアごとに、エリア・カードリーダ管理テーブル１２（図４）に基づきエリア分類を判断する。
そして、職務及びエリア分類の組合せ毎に、最小の在室時間のデータと最大の在室時間のデータを除き、算術平均を求め、図７のＡＰＢ設定エリア平均在室時間テーブル１５を作成する。
【００５２】
次に、部分平均算出部０４は、通行履歴管理テーブル１０を参照し、エリア毎、個人毎に退室レコードのない入室レコードを抽出し、ＡＰＢ設定エリア平均在室時間テーブル１５を参照し、入室時刻＋平均在室時間から退室時刻を算出し、退室レコードを通行履歴管理テーブル１０に記録する（Ｓ３０２）。
ここで、図３の通行履歴管理テーブル１０に、Ｓ００６で生成されたイベントＩＤ：１０００４の入室レコードが記録されており、この入室レコードには対応する退室レコードが存在しないとする。
例えば、ユーザＡがエリアＹからエリアＸに入室することなく、ビル１敷地から退出した場合には、イベントＩＤ：１０００４の入室レコードには退室レコードが生成されない。
また、また、ビル１には敷地の退出口にも退室カードリーダが存在しないので、イベントＩＤ：１０００１の入室レコードにも対応する退室レコードは生成されない。
部分平均算出部０４は、通行履歴管理テーブル１０から、イベントＩＤ：１０００１の入室レコードとイベントＩＤ：１０００４の入室レコードを抽出する。
そして、より新しいレコードであるイベントＩＤ：１０００４の入室レコードに対応して、イベントＩＤ管理配列１１からイベントＩＤ：１０００４を取得し、インクリメントし、イベントＩＤ：１０００５を得て、イベントＩＤ管理配列１１にセットする。
更に、部分平均算出部０４は、イベントＩＤ：１０００４の入室レコードの個人「Ａ」の職務「研究職」を、職務管理テーブル１３（図５）から判断し、エリア「Ｙ」のエリア分類「実験室」を、エリア・カードリーダ管理テーブル１２（図４）から判断する。
そして、職務「研究職」とエリア分類「実験室」との組み合わせに対する平均在室時間をＡＰＢ設定エリア平均在室時間テーブル１５から抽出する。
ここでは、「５時間」という平均在室時間を抽出する。
そして、部分平均算出部０４は、抽出した平均在室時間を、イベントＩＤ：１０００４の入室レコードの時刻に加算し、加算後の時刻と個人「Ａ」とエリア「Ｙ」と、イベントＩＤ「１０００５」が記述される退室レコードを生成し、生成した退室レコードを通行履歴管理テーブル１０に記録する。
ここでは、「ビル１、１０００５、２０１４／１０／１３  １８：００、Ｙ、Ａ、退室」という退室レコードが生成、記録される。
また、部分平均算出部０４は、イベントＩＤ：１０００１に対応して、イベントＩＤ管理配列１１からイベントＩＤ１０００５を取得し、インクリメントし、イベントＩＤ１０００６を得て、イベントＩＤ管理配列１１にセットする。
イベントＩＤ：１０００４の入室レコードと同様の手順にて、イベントＩＤ：１０００１の入室レコードに対して平均在室時間を抽出する。
ここでは、「９時間」という平均在室時間を抽出する。
そして、抽出した平均在室時間を、イベントＩＤ：１０００１の入室レコードの時刻に加算し、加算後の時刻と個人「Ａ」とエリア「Ｚ」と、イベントＩＤ「１０００６」が記述される退室レコードを生成し、生成した退室レコードを通行履歴管理テーブル１０に記録する。
ここでは、「ビル１、１０００６、２０１４／１０／１３  １７：３０、Ｚ、Ａ、退室」という退室レコードが生成、記録される。
【００５３】
次に、部分平均算出部０４は、通行履歴管理テーブル１０から、エリア毎、個人毎に（退室時刻）−（入室時刻）により在室時間を算出し、在室時間管理テーブル１４に記録する（Ｓ３０３）。
【００５４】
なお、以上の説明では、部分平均算出部０４が利用するエリア属性がエリア分類（居室、実験室、ビル敷地）であり、ユーザ属性が職務（研究職、事務職）である例を示した。
エリア属性は、このようなエリア分類に限らず、例えば、１Ｆ、２Ｆといった階数でもよいし、営業部が管轄するエリア、開発部が管轄するエリアといった部署単位の分類でもよい。
また、ユーザ属性は、担当者、課長、部長といった役職でもよいし、２０代、３０代、４０代といった年齢層でもよい。
また、複数のエリア属性、複数のユーザ属性を組み合わせてもよい。
【００５５】
在室時間表示部０５の動作
在室時間表示部０５は、在室時間相関算出部０３又は部分平均算出部０４により算出された在室時間を、個人名及びエリア名の組合せ毎にソートし、ソート結果を表示する。
【００５６】
図１３は、在室時間表示部０５の動作例を示すフローチャート図である。
【００５７】
図１３において、在室時間表示部０５は、在室時間管理テーブル１４を読み込み、メモリに展開する（Ｓ４０１）。
メモリ上で、エリア毎、個人毎にソートし、在室時間を表示する（Ｓ４０２）。
【００５８】
＊＊＊効果の説明＊＊＊
以上、本実施の形態によれば、通行履歴から退室時刻を補完することができ、ＡＰＢを使用せずに、在室時間管理を行うことができる。
【００５９】
＊＊＊ハードウェア構成の説明。
最後に、在室時間管理システム００のハードウェア構成例を図１６を参照して説明する。
在室時間管理システム００はコンピュータである。
在室時間管理システム００は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、入力装置９０７に接続されている。
ディスプレイインタフェース９０６は、ディスプレイ９０８に接続されている。
【００６０】
プロセッサ９０１は、プロセッシングを行うＩＣ（Ｉｎｔｅｇｒａｔｅｄ  Ｃｉｒｃｕｉｔ）である。
プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。
通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。
入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。
ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００６１】
補助記憶装置９０２には、図２に示す入室イベント連携退室時刻補完部０１、エリア・職務分類毎平均時刻算出連携退室時刻補完部０２、在室時間相関算出部０３、部分平均算出部０４、在室時間表示部０５（これらをまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図１６では、１つのプロセッサ９０１が図示されているが、在室時間管理システム００が複数のプロセッサ９０１を備えていてもよい。
そして、複数のプロセッサ９０１が「部」の機能を実現するプログラムを連携して実行してもよい。
また、「部」の処理の結果を示す情報やデータや信号値や変数値が、メモリ９０３、補助記憶装置９０２、又は、プロセッサ９０１内のレジスタ又はキャッシュメモリに記憶される。
【００６２】
また、「部」を「回路」又は「工程」又は「手順」又は「処理」に読み替えてもよい。
「回路」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００６３】
００  在室時間管理システム、０１  入室イベント連携退室時刻補完部、０２  エリア・職務分類毎平均時刻算出連携退室時刻補完部、０３  在室時間相関算出部、０４  部分平均算出部、０５  在室時間表示部、０６  ＤＢ、１０  通行履歴管理テーブル、１１  イベントＩＤ管理配列、１２  エリア・カードリーダ管理テーブル、１３  職務管理テーブル、１４  在室時間管理テーブル、１５  ＡＰＢ設定エリア平均在室時間テーブル、１６  相関係数テーブル、１０１  イベント情報。
【図１】
0006381475.tif 000002
【図２】
0006381475.tif 000003
【図３】
0006381475.tif 000004
【図４】
0006381475.tif 000005
【図５】
0006381475.tif 000006
【図６】
0006381475.tif 000007
【図７】
0006381475.tif 000008
【図８】
0006381475.tif 000009
【図９】
0006381475.tif 000010
【図１０】
0006381475.tif 000011
【図１１】
0006381475.tif 000012
【図１２】
0006381475.tif 000013
【図１３】
0006381475.tif 000014
【図１４】
0006381475.tif 000015
【図１５】
0006381475.tif 000016
【図１６】
0006381475.tif 000017